(57)【特許請求の範囲】
【請求項１】
眼鏡を装着したときに、耳の上部前端に当接して前記眼鏡の後方への移動を阻止する耳押え部と、頬骨弓部を跨ぐ凹部と、その凹部の上下から前記頬骨弓部を挟むように当接して、前記眼鏡の上下方向への移動を阻止する頬骨弓押え部とが備えられ、前記凹部と前記頬骨弓押え部とが、それぞれもみあげ部に当接する位置に備えられ、フレームに対して回動可能ではない眼鏡。
【請求項２】
前記耳押え部及び／又は前記頬骨弓押え部に、髪の間に分け入って地肌に接する複数の突起部が設けられている請求項１に記載の眼鏡。
【請求項３】
前記耳押え部及び／又は前記頬骨弓押え部の地肌に接する部位に、ラバー部材及び／又は、スポンジ部材及び／又は、ベロア部材及び／又は、レザー部材が設けられている請求項１又は２に記載の眼鏡。
【請求項４】
前記耳押え部及び／又は前記頬骨弓押え部は、眼鏡のフレームに対して姿勢変更可能に及び／又は、頬骨弓押え部の上下から前記頬骨弓部を挟むように変形する可塑性を有する部材で形成されている請求項１から３の何れかに記載の眼鏡。
【請求項５】
前記耳押え部及び／又は前記頬骨弓押え部は、前記フレームに対して、上下方向及び／又は、水平方向に調整可能に取り付けられている請求項１から４の何れかに記載の眼鏡。
【請求項６】
前記耳押え部及び／又は前記頬骨弓押え部の材質がエラストマーからなる請求項１から５の何れかに記載の眼鏡。
【請求項７】
前記眼鏡に、ヒアラブル端末、ウエアラブル機器、耳つぼ押え具、骨伝導補聴器、マスク係止具、アクセサリーの何れかが取り付けられている請求項１から６の何れかに記載の眼鏡。
【請求項８】
前記耳押え部及び／又は前記頬骨弓押え部に取付部を備え、前記眼鏡のフレームに対し、着脱自在である請求項１から７の何れかに記載の眼鏡の耳パッド。
【請求項９】
前記耳押え部後方には、さらに少なくとも一本の後方フレームが設けられている請求項８に記載の眼鏡の耳パッド。
【請求項１０】
前記取付部が、前記フレームに沿わせた状態でゴムバンドが巻かれることにより、前記フレームに対して、回動不能に保持される請求項８に記載の眼鏡の耳パッド。
【発明の詳細な説明】
【技術分野】
【０００１】
本発明は、顔や鼻や耳に負担を掛けず、跡形がつかず、位置決めが容易で、装着感が良い眼鏡に関する。
【背景技術】
【０００２】
従来、眼鏡はモダンを耳の耳介側頭溝に掛けて、鼻パッドを使用して装着しているので、レンズ部に取り付けた鼻パッドは、鼻に負担をかけている。近年、この鼻パッドを取り外した眼鏡が考案されている。この眼鏡を保持するために、保持部をこめかみや頬骨や頬骨弓部上の凹部に当接させて挟持しているが、これらの保持部は不安定であり、眼鏡の位置を正確に保持することはできない。また、こめかみや頬骨に当接した部分は変色して跡が残る。これらの方法で眼鏡を保持することを継続させるための構造には、さらなる改良を必要とする。
【０００３】
この問題に対しては、特許文献１は、眼鏡を装着したときに、耳の上部前端に当接して前記眼鏡の後方への移動を阻止する耳パッドと、前記眼鏡のフレーム下部のもみあげを押さえるもみあげ押え部とが、前記フレームに備えられている。この耳パッドは後方への移動を阻止し、もみあげ押え部はもみあげの凹部に当接しているが、もみあげ押え部は頬骨弓部の上部に引っ掛けた状態であり、上方への移動を阻止することはできない。
【先行技術文献】
【特許文献】
【０００４】
【特許文献１】特許第６５１１６０１号
【発明の概要】
【発明が解決しようとする課題】
【０００５】
眼鏡は、鼻パッドや眼鏡の保持部が当接した部分の跡が残る製品を、長期間装着することが問題であることは変わらない。本発明は、こうした問題を解決しようとするもので、眼鏡の鼻や顔や耳への負担を軽減させるために、外観から目立ち難い側頭部で、眼鏡を確実に挟持して保持し、眼鏡の前後方向、上下方向への移動を阻止し、着脱が容易で装着感が良く、安定して長期間装着できる眼鏡を提供することを課題とする。
【課題を解決するための手段】
【０００６】
第１発明の眼鏡は、眼鏡を装着したときに、耳の上部前端に当接して前記眼鏡の後方への移動を阻止する耳押え部と、頬骨弓部を跨ぐ凹部と、その凹部の上下から前記頬骨弓部を挟むように当接して、前記眼鏡の上下方向への移動を阻止する頬骨弓押え部とが備えられ、前記凹部と前記頬骨弓押え部とが、それぞれもみあげ部に当接する位置に備えられ、フレームに対して回動可能ではない眼鏡を特徴とする。
【０００７】
第２発明の眼鏡は、第１発明において、前記耳押え部及び／又は前記頬骨弓押え部に、髪の間に分け入って地肌に接する複数の突起部が設けられていることを特徴とする。
【０００８】
第３発明の眼鏡は、第１又は２発明において、前記耳押え部及び／又は前記頬骨弓押え部の地肌に接する部位に、ラバー部材及び／又は、スポンジ部材及び／又は、ベロア部材及び／又は、レザー部材が設けられていることを特徴とする。
【０００９】
第４発明の眼鏡は、第１から３発明の何れかにおいて、前記耳押え部及び／又は前記頬骨弓押え部は、眼鏡のフレームに対して姿勢変更可能に及び／又は、頬骨弓押え部の上下から前記頬骨弓部を挟むように変形する可塑性を有する部材で形成されていることを特徴とする。
【００１０】
第５発明の眼鏡は、第１から４発明の何れかにおいて、前記耳押え部及び／又は前記頬骨弓押え部は、前記フレームに対して、上下方向及び／又は、水平方向に調整可能に取り付けられていることを特徴とする。
【００１１】
第６発明の眼鏡は、第１から５発明の何れかにおいて、前記耳押え部及び／又は前記頬骨弓押え部の材質がエラストマーからなることを特徴とする。
【００１２】
第７発明の眼鏡は、第１から６発明の何れかにおいて、前記眼鏡に、ヒアラブル端末、ウエアラブル機器、耳つぼ押え具、骨伝導補聴器、マスク係止具、アクセサリーの何れかが取り付けられていることを特徴とする。
【００１３】
第８発明の眼鏡は、第１から７発明の何れかにおいて、前記耳押え部及び／又は前記頬骨弓押え部に取付部を備え、前記眼鏡のフレームに対し、着脱自在であることを特徴とする。
【００１４】
第９発明の眼鏡は、第８発明において、前記耳押え部後方には、さらに少なくとも一本の後方フレームが設けられていることを特徴とする。
【００１５】
第１０発明の眼鏡は、第８発明において、前記取付部が、前記フレームに沿わせた状態でゴムバンドが巻かれることにより、前記フレームに対して、回動不能に保持されることを特徴とする。
【発明の効果】
【００１６】
第１発明の眼鏡によれば、眼鏡を装着したときに、耳の上部前端に当接して前記眼鏡の後方への移動を阻止する耳押え部と、頬骨弓部を跨ぐ凹部と、その凹部の上下から前記頬骨弓部を挟むように当接して、前記眼鏡の上下方向への移動を阻止する頬骨弓押え部とが備えられ、前記凹部と前記頬骨弓押え部とが、それぞれもみあげ部に当接する位置に備えられ、フレームに対して回動可能ではない眼鏡。
【００１７】
第２発明によれば、前記耳押え部及び／又は前記頬骨弓押え部に、髪の間に分け入って地肌に接する複数の突起部が設けられているので、摩擦力が向上して眼鏡を固定できる。
【００１８】
第３発明によれば、前記耳押え部及び／又は前記頬骨弓押え部の地肌に接する部位に、ラバー部材及び／又は、スポンジ部材及び／又は、ベロア部材及び／又は、レザー部材が設けられているので、地肌に接する部位は肌触りが良く装着感は非常に良く、摩擦力が向上して眼鏡を固定できる。
【００１９】
第４発明によれば、前記耳押え部及び／又は前記頬骨弓押え部は、眼鏡のフレームに対して姿勢変更可能に及び／又は、頬骨弓押え部の上下から前記頬骨弓部を挟むように変形する可塑性を有する部材で形成されているので、装着感の良い適宜の挟持力に調整が可能である。
【００２０】
第５発明によれば、前記耳押え部及び／又は前記頬骨弓押え部は、前記フレームに対して、上下方向及び／又は、水平方向に調整可能に取り付けられているので、レンズと目との間を示す角膜頂点間距離１２ｍｍの調整が可能である。
【００２１】
第６発明によれば、前記耳押え部及び／又は前記頬骨弓押え部の材質がエラストマーからなることにより、軽量で柔軟性を有しているので、様々な装着者の側頭部の形状に対応して、フィットさせることができる。
【００２２】
第７発明によれば、前記眼鏡に、ヒアラブル端末、ウエアラブル機器、耳つぼ押え具、骨伝導補聴器、マスク係止具、アクセサリーの何れかが取り付けられているので、眼鏡をかけた時にそれらの機器を使用することができる。
【００２３】
第８発明によれば、前記耳押え部及び／又は前記頬骨弓押え部に取付部を備え、前記眼鏡のフレームに対し、着脱自在であるので、様々な形状のフレームに取り付けが可能となる。
【００２４】
第９発明によれば、前記耳押え部後方には、さらに少なくとも一本の後方フレームが設けられているので、従来のモダンと同様の作用効果があり、モダンより挟持力を増加させることができる。
【００２５】
第１０発明によれば、前記取付部が、前記フレームに沿わせた状態でゴムバンドが巻かれることにより、前記フレームに対して、回動不能に保持されるので、確実に保持できる。
【図面の簡単な説明】
【００２６】
【図１】第１発明の実施例を示す斜視図、側面図である。
【図２】第１発明の実施例を示す説明図である。
【図３】第２発明の実施例を示す説明図である。
【図４】第３発明の実施例を示す斜視図である。
【図５】第４発明の実施例を示す説明図、斜視図である。
【図６】第５発明の実施例を示す側面図である。
【図７】第７発明の実施例を示す側面図である。
【図８】第８発明の実施例を示す側面図である。
【図９】第８発明の実施例を示す側面図である。
【図１０】第９発明の実施例を示す側面図である。
【図１１】第１０発明の実施例を示す斜視図である。
【発明を実施するための形態】
【００２７】
以下、本発明に係る眼鏡の実施形態の例を、様々な眼鏡を例にして図面を参照しながら説明する。
【実施例１】
【００２８】
第１発明の眼鏡は、眼鏡を装着したときに、耳の上部前端に当接して前記眼鏡の後方への移動を阻止する耳押え部３と、頬骨弓部４を跨ぐ凹部５と、その凹部５の上下から前記頬骨弓部４を挟むように当接して、前記眼鏡の上下方向への移動を阻止する頬骨弓押え部６とが備えられ、前記凹部５と前記頬骨弓押え部６とが、それぞれもみあげ部１５に当接する位置に備えられ、フレーム２に対して回動可能ではない眼鏡を特徴としている。
【００２９】
図２（ａ）の斜線部は、もみあげ部１５の中のもみあげ凹部７の位置を示している。もみあげ凹部７は頬骨弓部４の上下にあり横長の形状である。頬骨弓部４から上下に僅かに傾斜してもみあげ凹部７に続いている。頬骨弓押え部６は頬骨弓部４を跨ぐ凹部５と、その凹部５の上下から頬骨弓部４を挟むように傾斜面と、もみあげ凹部７の地肌に当接して、フレームの上下方向への移動を阻止している。図２（ｂ）は頬骨弓押え部６を耳押え部３から前方に伸ばし、上部もみあげ凹部７に当接させ、その後下方に伸ばし、頬骨弓部４を跨いで下部もみあげ凹部７に当接させて、上下方向への移動を阻止することを示す一実施形態の説明図である。
【００３０】
図２（ｃ）は頬骨弓押え部６の一方を耳押え部３から前方に伸ばし、他方は下方に伸ばし、頬骨弓部４を跨いで下部もみあげ凹部７に当接させて、上下方向への移動を阻止することを示す一実施形態の説明図である。図２（ｄ）は頬骨弓押え部６を耳押え部３から下方に伸ばし、頬骨弓部４を跨いで下部もみあげ凹部７に当接させて、上下方向への移動を阻止することを示す一実施形態の説明図である。図２（ｅ）は上部と下部もみあげ凹部７全体に当接するように、頬骨弓部４を跨ぐことにより重量の重いメガネに対応できる。これらの頬骨弓押え部６が様々な形状であっても、頬骨弓押え部６から耳押え部３とモダン１１まで連結した保持部は、側頭部側の面で最大限挟持させることで眼鏡を確実に保持することができる。
【００３１】
鼻パッドを取り付けた眼鏡は、鼻パッドで眼鏡を止めているので、フレーム２の挟持力が弱くても良い。しかし、本発明はフレーム２の挟持力で眼鏡を保持しているので、フレーム２には眼鏡を保持するだけの挟持力が必要である。そのためには、フレーム２の挟持力を強くするか、フレーム２を内側に曲げるか、頬骨弓押え部６やモダン１１をフレーム２の内側に設けることが重要である。
【００３２】
第１発明のフレーム２に取り付けた耳押え部３と頬骨弓押え部６は、耳より外側に突出することなく、フレーム２と平行して取り付けられたシンプルな形状である。耳押え部３と頬骨弓押え部６が接している側頭部には、髪の毛が生えているので、髪の毛の多い人はそれらを隠すことができる。特に女性の場合、外観から眼鏡を保持している方法が見えないので、眼鏡だけがスッキリ見える。
【００３３】
眼鏡を装着する方法は、従来の眼鏡をかける方法と同様に、左右のフレーム２を持ち、フレーム２を少し外側に開けた状態で、モダン１１を地肌に沿わせながら、後方に押し込んでいけば良い。髪の毛に絡むことはなく着脱は容易である。
【００３４】
本発明で言う眼鏡は、度つき眼鏡、伊達メガネ、老眼鏡、ＴＶ・映画用３Ｄメガネ、サングラス、スポーツサングラス、カメラを取り付けたメガネ、拡大鏡を付けたメガネ、ライトを付けたメガネ、剣道用メガネ、ウエアラブル機器用メガネ、スクリーンに表示される画像を観察するための画像観察用メガネ、拡張現実（ＡＲ）機能を備えたメガネ、手術用メガネ、花粉対策メガネ、スピーカー付きメガネ等である。
【００３５】
以下の図では、第１発明の構成部分と同様な部分については、その説明を省略又は簡略化し、第１発明と異なる部分の実施形態について説明する。
【実施例２】
【００３６】
第２発明の眼鏡は、前記耳押え部３及び／又は前記頬骨弓押え部６に、髪の間に分け入って地肌に接する複数の突起部１０が設けられていることを特徴としている。
【００３７】
図３は第２発明の形状が半球状の突起部１０を頬骨弓押え部６に設けたことを示す耳の裏側から見た一実施例の説明図である。図３（ａ）は頬骨弓押え部６の上下２か所に突起部１０を設け、頬骨弓部４を上下から跨いで、挟むことにより、眼鏡を確実に保持できる。図３（ｂ）は頬骨弓押え部６の斜め方向の２か所に突起部１０を設け、頬骨弓部４を斜めに跨いで挟むことにより、眼鏡を確実に保持できる。図３（ｃ）は耳に沿わせるように近づけた頬骨弓押え部６の上下２か所に突起部１０を設け、頬骨弓部４を上下から跨いで挟むことにより、眼鏡を確実に保持できる。
【００３８】
図３（ｄ）は頬骨弓押え部６の上下３か所に突起部１０を設け、頬骨弓部４を上下から跨いで挟むことにより、眼鏡を確実に保持できる。図３（ｅ）は棒状又はヘアピン状の頬骨弓押え部６の上下２か所に突起部１０を設け、頬骨弓部４を上下から跨いで挟むことにより、眼鏡を確実に保持できる。頬骨弓押え部６の形状が様々であっても、突起部１０を頬骨弓部４の傾斜部やみあげ凹部７に沿って、頬骨弓部４を掴むように当接させることにより保持力は長時間継続する。
【００３９】
人の頭部の形状やもみあげ部１５の生え方は様々であるが、もみあげ部１５の中の頬骨弓部４と頬骨弓部４上のもみあげ凹部７の地肌に接して保持しているので、複数の僅かに突出した半球状の突起部１０は装着感に影響することはなく、突起部１０が地肌に接しても髪の毛が緩衝材となり、接触痕が残ることはない。また、突起部１０を和寥１３（耳つぼ）に当接させることにより、疲れ目、目の奥の痛み、頭痛、耳鳴り、三叉神経痛、目の疲れなどの耳つぼ効果がある。
【実施例３】
【００４０】
第３発明の眼鏡は、前記耳押え部３及び／又は前記頬骨弓押え部６の地肌に接する部位に、ラバー部材８及び／又は、スポンジ部材及び／又は、ベロア部材９及び／又は、レザー部材が設けられていることを特徴としている。
【００４１】
図４（ａ）は、第３発明のラバー部材８を耳押え部３と頬骨弓押え部６に張り付けたことを示す一実施形態の斜視図である。ラバー部材８を地肌に接する部位の表面に張り付けることにより、装着感を良くすることができる。スポンジ部材、レザー部材なども同様である。ラバー部材８として、シリコン、ウレタン、アクリルなどを使用することで地肌への密着度が向上する。また、人肌のように柔軟な部材であるエラストマーゲル状ウレタンや肌の温度で変形する樹脂も適している。
【００４２】
図４（ｂ）は、第３発明のベロア部材９を耳押え部３と頬骨弓押え部６に張り付け、３か所に突起部１０を設けたことを示す一実施形態の斜視図である。ベロア部材は市販されているヘッドホンにも使用されており、高級感のある肌に優しい部材である。そのベロア部材の表面に半球状の突起部１０を設けることにより、今までにない装着感の良い眼鏡となる。
【実施例４】
【００４３】
第４発明の眼鏡は、前記耳押え部３及び／又は前記頬骨弓押え部６は、眼鏡のフレーム２に対して姿勢変更可能に及び／又は、頬骨弓部４の上下から前記頬骨弓部４を挟むように変形する可塑性を有する部材で形成されていることを特徴としている。
【００４４】
図５（ａ）は第４発明の耳押え部３とモダン１１とフレーム２との間と、耳押え部３と頬骨弓押え部６との間に、針金１２（点線部）を設けたことを示す一実施形態の説明図である。フレーム２とモダン１１との間に針金１２を渡した場合、針金１２を曲げることにより、左右方向、上下方向に姿勢変更可能である。また、側頭部を挟む挟持力と眼鏡のレンズ部の高さ調整が可能である。針金１２を入れた上部頬骨弓押え部６を内側に曲げることにより、上部頬骨弓押え部６が頬骨弓部４と上下のもみあげ凹部７に当接する強さの調整が可能である。針金１２を入れた下部頬骨弓押え部６を内側に曲げることにより、頬骨弓押え部６が頬骨弓部４を挟持する強さと、頬骨弓押え部６が頬骨弓部４に密着するように調整することができる。
【００４５】
図５（ｂ）は第４発明の頬骨弓押え部６を針金１２に置き換え、突起部１０を耳押え部３と頬骨弓押え部６の３か所に設けたことを示す一実施形態の斜視図である。針金１２は自由に変形するので、頬骨弓部４や上下のもみあげ凹部７の位置に正確に沿わせることができる。針金１２は細いので、最もシンプルな眼鏡となる。図５（ｃ)は第４発明の頬骨弓押え部６を針金１２に置き換え、外側にベロア部材９を張り付けたことを示す一実施形態の斜視図である。ベロア部材９の肌触りの良い装着感に、針金１２をもみあげ部１５に沿わせた頬骨弓押え部６は高級感のある最高の眼鏡である。
【実施例５】
【００４６】
第５発明の眼鏡は、前記耳押え部３及び／又は前記頬骨弓押え部６は、前記フレーム２に対して、上下方向及び／又は、水平方向に調整可能に取り付けられていることを特徴としている。
【００４７】
図６（ａ）は第５発明のフレーム２、耳押え部３、頬骨弓押え部６の中に針金１２を設け、上下方向、水平方向に調整可能に取り付けたことを示す一実施形態の側面図である。正しい位置に眼鏡が固定された状態において、矢印が示すようにフレーム２を曲げるか、頬骨弓押え部６を曲げることにより、眼鏡のレンズ部の上下方向、左右方向の調整可能となる。長時間眼鏡をかけている時、徐々にレンズ部が下がる場合に、レンズ部の高さ修正ができる。
【００４８】
図６（ｂ）は第５発明のフレーム２を水平方向に調整可能に設けたことを示す一実施形態の側面図である。第５発明のフレーム２を耳押え部３、頬骨弓押え部６、モダン１１との連結部２２の中に挿入し、正しい位置に眼鏡は固定された状態において、矢印が示すように前後方向に摺動可能に設けることにより、水平方向に調整可能となる。長時間眼鏡をかけている時、徐々にレンズ部が下がる場合に、目とレンズ部との距離の修正ができる。
【実施例６】
【００４９】
第６発明の眼鏡は、前記耳押え部３及び／又は前記頬骨弓押え部６の材質がエラストマーからなることを特徴としている。
【００５０】
第６発明の耳押え部３及び／又は頬骨弓押え部６の材質がエラストマーからなる場合は、耳押え部３及び／又は頬骨弓押え部６は柔軟性に優れているので、装着者の側頭部に合わせて、適宜の挟持力で当接するので、フィット感が良い。図５で示しているように、頬骨弓押え部６に針金１２を挿入した場合、所定の形状を維持することができる。
【００５１】
本発明の耳押え部３及び／又は前記頬骨弓押え部６の材質は、シリコンゴム、合成ゴム、天然ゴム、ウレタンゴム、フッ素ゴムなどの熱硬化性エラストマーである。また、熱可塑性エラストマーとして、スチレン系、塩ビ系、オレフィン系、ウレタン系、アミド系などがある。熱可塑性樹脂としては、アクリル樹脂、ＡＢＳ樹脂、ポリカーボネート、ポリプロピレン、ポリ塩化ビニル、ポリスチレン、ポリ酢酸ビニル、ポリウレタン、ＡＳ樹脂、ポリアミド、ポリアセタール、ポリエチレン、ポリエステル等である。
【実施例７】
【００５２】
第７発明の眼鏡は、前記眼鏡に、ヒアラブル端末３０、ウエアラブル機器３１、耳つぼ押え具３２、骨伝導機器３３、マスク係止具３４、アクセサリー３５の何れかが取り付けられていることを特徴としている。
【００５３】
図７（ａ）は第７発明のヒアラブル端末３０を耳パッド１やフレーム２に取り付け、イヤホン１７を接続し、眼鏡と一体化したヒアラブル端末３０となることを示す一実施形態の側面図である。図７（ｂ）は第７発明の眼鏡をウエアラブル機器３１にするために、レンズ部にディスプレイ１６を取り付け、耳パッド１やフレーム２にバッテリー、制御機器、通信機器を設けたことを示す一実施形態の側面図である。鼻に負担のかからない眼鏡と一体化したウエアラブル機器３１となる。
【００５４】
図７（ｃ)は耳つぼ押え具３２をもみあげ押え部３に設け、耳つぼの和寥１３に当接させ、頬骨弓押え部６から延設した耳つぼ押え具３２で、起点１４を押えることにより、耳つぼ効果がある眼鏡になることを示す一実施形態の側面図である。図７（ｄ)は頬骨弓押え部６周縁の骨に当接させることにより、骨伝導機器３３になることを示す一実施形態の側面図である。図７（ｅ)は眼鏡のモダン１１にマスクの紐が掛かるマスク係止具３４を取り付け、長時間マスクをかけた時に、耳の痛さが緩和されることを示す一実施形態の側面図である。図７（ｆ)はアクセサリー３５を頬骨弓押え部６に取り付けたことを示す一実施形態の側面図である。耳朶の負担が軽減される。
【実施例８】
【００５５】
第８発明の耳パッド１は、前記耳押え部３及び／又は前記頬骨弓押え部６に取付部２０を備え、前記眼鏡のフレーム２に対し、着脱自在であることを特徴としている。
【００５６】
耳パッド１は、耳押え部３と頬骨弓押え部６とが連結した形状であり、最もコンパクトな眼鏡保持具である。図８は第８発明の耳パッド１に、着脱するための取付部２０を設け、フレーム２に嵌め込んだことを示す一実施形態の側面図である。フレーム２に嵌め込むために取付部２０に挿入枠を設け、フレーム２を挿入して耳パッド１を着脱自在にしている。矢印が示すように、耳パッド１は前後方向に調整可能になる。取付部２０の形態は限定しない。
【００５７】
図９（ａ）は第８発明のヒアラブル端末３０を取付部２０に設け、イヤホン１７を頬骨弓押え部６から耳の中に延設した耳パッド１を示す一実施形態の側面図である。眼鏡に着脱自在の耳に負担をかけないコンパクトなヒアラブル端末３０となる。図９（ｂ）は第８発明のウエアラブル機器３１にするために、レンズ部にディスプレイ１６を取り付け、フレーム２にバッテリー、制御機器、通信機器を設けることにより、鼻に負担のかからない眼鏡に着脱可能なウエアラブル機器３１となることを示す一実施形態の側面図である。
【００５８】
図９（ｃ)は耳つぼ押え具３２を耳押え部３に設け、耳つぼの和寥１３に当接させ、頬骨弓押え部６から延設した耳つぼ押え具３２を耳つぼの起点１４に当接させることにより、耳つぼ効果が得られる。着脱可能な耳つぼ押え具３２になることを示す一実施形態の側面図である。図９（ｄ)は頬骨弓押え部６や耳押え部３周縁に骨伝導機器３３を設けたことにより、シンプルで着脱可能な眼鏡と一体型の補聴器になることを示す一実施形態の側面図である。図９（ｅ)は着脱自在に取り付けた耳パッド１に、マスク係止具３４を取り付け、マスクの紐をかけることにより、長時間マスクをかけた時に、耳の痛さが緩和される。図９（ｆ)は着脱可能に取り付けた耳パッド１の頬骨弓押え部６に、アクセサリー３５を取り付けたことを示す一実施形態の側面図である。耳朶の負担が軽減される。
【実施例９】
【００５９】
第９発明の耳パッド１は、前記耳押え部３後方には、さらに少なくとも一本の後方フレーム１８が設けられていることを特徴としている。
【００６０】
図１０は第９発明の後方フレーム１８を前記耳押え部３後方に取り付けたことを示す一実施形態の側面図である。従来のモダン１１は鼻パッドが取り付けられているのでフレーム２の挟持力は弱い。しかし、本発明は眼鏡を挟持力で保持しているので、耳押え部３や頬骨弓押え部６を側頭部に適宜の強さで当接するように、内側に設けた後方フレーム１８を内側に曲げて挟持力を補強させる必要がある。
【実施例１０】
【００６１】
第１０発明の耳パッド１は、前記取付部２０が、前記フレーム２に沿わせた状態でゴムバンド１９が巻かれることにより、前記フレーム２に対して、回動不能に保持されることを特徴としている。
【００６２】
１１（ａ）は第１０発明の取付部２０に厚みと幅のあるフレーム２を密着保持するために、保持部材として、ゴムバンド１９を使用したことを示す一実施形態の斜視図である。係止具２１に引っ掛けて伸ばしたゴムバンド１９を、取付部２０に沿わせたフレーム２を巻き付けることにより、回動不能にすることができる。着脱自在の強固に保持できる耳パッド１となる。図１１（ｂ）は第１０明の取付部２０に細い眼鏡の金属のフレーム２を密着保持するために、取付部２０にフレーム２に対して平行に溝２３を設け、この溝２３にフレーム２を嵌め込み、ゴムバンド１９を巻き付けたことを示す一実施形態の斜視図である。フレーム２を溝２３に嵌め込み、ゴムバンド１９を強く巻くことにより、回動不能にすることができる。
【符号の説明】
【００６３】
１    耳パッド
２    フレーム
３    耳押え部
４    頬骨弓部
５    凹部
６    頬骨弓押え部
７    もみあげ凹部
８    ラバー部材
９    ベロア部材
１０  突起部
１１  モダン
１２  針金
１３  和寥
１４  起点
１５  もみあげ部
１６  ディスプレイ
１７  イヤホン
１８  後方フレーム
１９  ゴムバンド
２０  取付部
２１  係止具
２２  連結部
２３  溝
２４  耳輪
３０  ヒアラブル端末
３１  ウエアラブル機器
３２  耳つぼ押え具
３３  骨伝導機器
３４  マスク係止具
３５  アクセサリー
【要約】      （修正有）【課題】眼鏡の鼻や顔や耳への負担を軽減させるために、外観から目立ち難い側頭部で、眼鏡を確実に挟持して保持し、眼鏡の前後方向、上下方向への移動を阻止し、着脱が容易で装着感が良く、安定して長期間装着できる眼鏡を提供する。【解決手段】眼鏡を装着したときに、耳の上部前端に当接して前記眼鏡の後方への移動を阻止する耳押え部３と、頬骨弓部を跨ぐ凹部５と、その凹部５の上下から前記頬骨弓部を挟むように当接して、前記眼鏡の上下方向への移動を阻止する頬骨弓押え部６とが備えられている。【選択図】図１【図１】
0006794084.tif 000002
【図２】
0006794084.tif 000003
【図３】
0006794084.tif 000004
【図４】
0006794084.tif 000005
【図５】
0006794084.tif 000006
【図６】
0006794084.tif 000007
【図７】
0006794084.tif 000008
【図８】
0006794084.tif 000009
【図９】
0006794084.tif 000010
【図１０】
0006794084.tif 000011
【図１１】
0006794084.tif 000012